【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を具備する、コアネットワークエンティティによって行われるワイヤレス通信の方法。
【請求項２】
プロセッサによって実行されたとき、コンピュータに、
マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を備えるステップを実施させる、コアネットワークエンティティに含まれる符号化された命令を保持する非一時的コンピュータ可読媒体。
【請求項３】
前記実施することは、前記ＵＥに関連付けられた前記ベアラのすべてよりも少ないベアラが変更についての前記要求の中に含まれる場合、前記要求を拒否することを備える、請求項２に記載のコンピュータ可読媒体。
【請求項４】
前記実施することは、前記２次基地局への前記ＵＥのデュアル接続性が許可されない場合、前記要求を拒否することを備える、請求項２に記載のコンピュータ可読媒体。
【請求項５】
前記実施することは、前記ベアラのうちの１つまたは複数が前記２次基地局におけるデュアル接続性に対して許可されない場合、前記要求を拒否することを備える、請求項２に記載のコンピュータ可読媒体。
【請求項６】
前記ステップは、前記拒否することの理由を示すメッセージで前記要求に返答することをさらに備え、
前記理由は、ゲートウェイノード再配置が必要とされること、ゲートウェイ再配置がサポートされないこと、前記２次基地局とのデュアル接続性が許可されないこと、および、変更が要求されたベアラが、特定のベアラの識別情報を含むデュアル接続性に対して許可されないこと、のうちの１つまたは複数を備える、
請求項２に記載のコンピュータ可読媒体。
【請求項７】
前記ステップは、ベアラの変更についての前記要求の中に含まれる識別子に基づいて、前記マスタ基地局および前記２次基地局のうちの１つまたは複数を識別することをさらに備える、請求項２に記載のコンピュータ可読媒体。
【請求項８】
前記ステップは、ベアラの変更についての前記要求の中で、前記ＵＥに関連付けられたベアラを前記マスタ基地局または前記２次基地局によってサービスされていると識別することをさらに備える、請求項２に記載のコンピュータ可読媒体。
【請求項９】
前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、
前記ＵＥに関連付けられた、前記要求の中に含まれない前記ベアラが前記マスタ基地局によってサービスされ続ける、
請求項２に記載のコンピュータ可読媒体。
【請求項１０】
ゲートウェイノードの再配置が必要とされると決定することは、前記２次基地局の識別情報に基づく、請求項２に記載のコンピュータ可読媒体。
【請求項１１】
ゲートウェイノードの再配置が必要とされると決定することは、前記２次基地局が前記第１のゲートウェイノードによってサービスされるか否かに基づく、請求項２に記載のコンピュータ可読媒体。
【請求項１２】
コアネットワークエンティティであって、
マスタ基地局と２次基地局とへのユーザ機器（ＵＥ）のデュアル接続性のための、第１のゲートウェイノードを介してルーティングされるベアラの変更についての要求を受信するための手段と、
前記変更は前記ベアラが第２のゲートウェイノードに再配置されることを必要とすると決定するための手段と、
前記決定することに基づいて、前記要求を拒否すること、または、前記ＵＥに関連付けられたすべての前記ベアラを前記第２のゲートウェイノードに再配置すること、のうちの少なくとも１つを実施するための手段と
を具備する、装置。
【請求項１３】
前記実施するための手段は、前記ＵＥに関連付けられた前記ベアラのすべてよりも少ないベアラが変更についての前記要求の中に含まれる場合、または前記２次基地局への前記ＵＥのデュアル接続性が許可されない場合、または前記ベアラのうちの１つまたは複数が前記２次基地局におけるデュアル接続性に対して許可されない場合、前記要求を拒否するようにさらに構成される、請求項１２に記載の装置。
【請求項１４】
前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、
前記ＵＥに関連付けられた、前記要求の中に含まれない前記ベアラは、前記マスタ基地局によってサービスされ続ける、
請求項１２に記載の装置。
【請求項１５】
前記決定するための手段は、前記２次基地局の識別情報に基づいてゲートウェイノードの再配置が必要とされると決定するように構成される、請求項１２に記載の装置。
【手続補正２】
【補正対象書類名】明細書
【補正対象項目名】０１３１
【補正方法】変更
【補正の内容】
【０１３１】
[00146]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明が付記される。 
［Ｃ１］ワイヤレス通信システムの第１の基地局によってユーザ機器（ＵＥ）への接続を確立することと、前記ＵＥが前記第１の基地局に接続されている間にも接続することが可能である第２の基地局を識別することと、前記第１の基地局と前記第２の基地局とへの前記ＵＥのデュアル接続性が許可されるかどうかを決定することと、前記決定することに基づいて、前記ＵＥを前記第２の基地局にハンドオーバすること、または、前記第２の基地局への前記ＵＥのための前記デュアル接続性を開始すること、のうちの１つを選択することとを備える、ワイヤレス通信の方法。
［Ｃ２］前記第１の基地局と前記第２の基地局とへの前記ＵＥのデュアル接続性のための、第１のゲートウェイノードを介してルーティングされるベアラの変更を要求することをさらに備える、Ｃ１に記載の方法。
［Ｃ３］前記ベアラの変更を要求することに応答して、サービングゲートウェイ再配置の指示を受信することをさらに備える、Ｃ２に記載の方法。
［Ｃ４］前記デュアル接続性が許可されるかどうかを決定することは、前記第２の基地局の識別情報に少なくとも部分的に基づく、Ｃ１に記載の方法。
［Ｃ５］前記デュアル接続性が許可されるかどうかを決定することは、前記第１の基地局の構成に少なくとも部分的に基づく、Ｃ１に記載の方法。
［Ｃ６］前記デュアル接続性が許可されるかどうかを決定することは、前記デュアル接続性をサポートする前記第２の基地局の能力に少なくとも部分的に基づく、Ｃ１に記載の方法。
［Ｃ７］前記デュアル接続性が許可されるかどうかを決定することは、モビリティ管理エンティティ（ＭＭＥ）または別の基地局のうちの少なくとも１つによって前記第１の基地局に与えられた前記ＵＥへの前記接続のためのコンテキスト情報に少なくとも部分的に基づく、Ｃ１に記載の方法。
［Ｃ８］前記デュアル接続性が許可されるかどうかを決定することは、前記ＵＥの能力に少なくとも部分的に基づく、Ｃ１に記載の方法。
［Ｃ９］前記決定することは、前記ＵＥに関連付けられた１つまたは複数のベアラのサービス品質要件に少なくとも部分的に基づく、Ｃ１に記載の方法。
［Ｃ１０］前記選択することは、前記デュアル接続性を開始することに対する前記ハンドオーバすることについての定義済みの優先度に少なくとも部分的に基づく、Ｃ１に記載の方法。
［Ｃ１１］前記選択することは、測定基準に少なくとも部分的にさらに基づく、Ｃ１に記載の方法。
［Ｃ１２］前記選択することは、前記ＵＥに関連付けられた１つまたは複数のベアラのトラフィック量に少なくとも部分的にさらに基づく、Ｃ１に記載の方法。
［Ｃ１３］ワイヤレス通信システムの第１の基地局によってユーザ機器（ＵＥ）への接続を確立するための手段と、前記ＵＥが前記第１の基地局に接続されている間にも接続することが可能である第２の基地局を識別するための手段と、前記第１の基地局と前記第２の基地局とへの前記ＵＥのデュアル接続性が許可されるかどうかを決定するための手段と、前記決定することに基づいて、前記ＵＥを前記第２の基地局にハンドオーバすること、または、前記第２の基地局への前記ＵＥのための前記デュアル接続性を開始すること、のうちの１つを選択するための手段とを備える、ワイヤレス通信のために構成された装置。
［Ｃ１４］デュアル接続性が許可されるかどうかを決定することは、前記第２の基地局の識別情報、前記第１の基地局の構成、前記デュアル接続性をサポートする前記第２の基地局の能力、モビリティ管理エンティティ（ＭＭＥ）若しくは別の基地局のうちの少なくとも１つによって前記第１の基地局に与えられた前記ＵＥへの前記接続のためのコンテキスト情報、前記ＵＥの能力、または、前記ＵＥに関連付けられた１つまたは複数のベアラのサービス品質要件、のうちの１つまたは複数に少なくとも部分的に基づく、Ｃ１３に記載の装置。
［Ｃ１５］前記選択することは、前記デュアル接続性を前記開始することに対する前記ハンドオーバすることについての定義済みの優先度、測定基準、または、前記ＵＥに関連付けられた１つまたは複数のベアラのトラフィック量、のうちの１つまたは複数に少なくとも部分的に基づく、Ｃ１３に記載の装置。
［Ｃ１６］プロセッサによって実行されたとき、コンピュータに、コアネットワークエンティティによって、マスタ基地局と２次基地局とへのユーザ機器（ＵＥ）のデュアル接続性のための、第１のゲートウェイノードを介してルーティングされるベアラの変更についての要求を受信することと、前記変更は前記ベアラが第２のゲートウェイノードに再配置されることを必要とすると決定することと、前記決定することに基づいて、前記要求を拒否すること、または、前記ＵＥに関連付けられたすべての前記ベアラを前記第２のゲートウェイノードに再配置すること、のうちの少なくとも１つを実施することとを備えるステップを実施させる、符号化された命令を保持する非一時的コンピュータ可読媒体。
［Ｃ１７］前記実施することは、前記ＵＥに関連付けられた前記ベアラのすべてよりも少ないベアラが変更についての前記要求の中に含まれる場合、前記要求を拒否することを備える、Ｃ１６に記載のコンピュータ可読媒体。
［Ｃ１８］前記実施することは、前記２次基地局への前記ＵＥのデュアル接続性が許可されない場合、前記要求を拒否することを備える、Ｃ１６に記載のコンピュータ可読媒体。
［Ｃ１９］前記実施することは、前記ベアラのうちの１つまたは複数が前記２次基地局におけるデュアル接続性に対して許可されない場合、前記要求を拒否することを備える、Ｃ１６に記載のコンピュータ可読媒体。
［Ｃ２０］前記ステップは、前記拒否することの理由を示すメッセージで前記要求に返答することをさらに備え、前記理由は、ゲートウェイノード再配置が必要とされること、ゲートウェイ再配置がサポートされないこと、前記２次基地局とのデュアル接続性が許可されないこと、および、変更が要求されたベアラが、特定のベアラの識別情報を含むデュアル接続性に対して許可されないこと、のうちの１つまたは複数を備える、Ｃ１６に記載のコンピュータ可読媒体。
［Ｃ２１］前記ステップは、ベアラの変更についての前記要求の中に含まれる識別子に基づいて、前記マスタ基地局および前記２次基地局のうちの１つまたは複数を識別することをさらに備える、Ｃ１６に記載のコンピュータ可読媒体。
［Ｃ２２］前記ステップは、ベアラの変更についての前記要求の中で、前記ＵＥに関連付けられたベアラを前記マスタ基地局または前記２次基地局によってサービスされていると識別することをさらに備える、Ｃ１６に記載のコンピュータ可読媒体。
［Ｃ２３］前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、前記ＵＥに関連付けられた、前記要求の中に含まれない前記ベアラが前記マスタ基地局によってサービスされ続ける、Ｃ１６に記載のコンピュータ可読媒体。
［Ｃ２４］ゲートウェイノードの再配置が必要とされると決定することは、前記２次基地局の識別情報に基づく、Ｃ１６に記載のコンピュータ可読媒体。
［Ｃ２５］ゲートウェイノードの再配置が必要とされると決定することは、前記２次基地局が前記第１のゲートウェイノードによってサービスされるか否かに基づく、Ｃ１６に記載のコンピュータ可読媒体。
［Ｃ２６］ワイヤレス通信のために構成された装置であって、前記装置は、少なくとも１つのプロセッサと、前記少なくとも１つのプロセッサに結合されたメモリとを備え、前記少なくとも１つのプロセッサは、コアネットワークエンティティによって、マスタ基地局と２次基地局とへのユーザ機器（ＵＥ）のデュアル接続性のための、第１のゲートウェイノードを介してルーティングされるベアラの変更についての要求を受信することと、前記変更は前記ベアラが第２のゲートウェイノードに再配置されることを必要とすると決定することと、前記決定することに基づいて、前記要求を拒否すること、または、前記ＵＥに関連付けられたすべての前記ベアラを前記第２のゲートウェイノードに再配置すること、のうちの少なくとも１つを実施することとを行うように構成された、装置。
［Ｃ２７］前記実施することは、前記ＵＥに関連付けられた前記ベアラのすべてよりも少ないベアラが変更についての前記要求の中に含まれる場合、または前記２次基地局への前記ＵＥのデュアル接続性が許可されない場合、または前記ベアラのうちの１つまたは複数が前記２次基地局におけるデュアル接続性に対して許可されない場合、前記要求を拒否することを備える、Ｃ２６に記載の装置。
［Ｃ２８］前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、前記ＵＥに関連付けられた、前記要求の中に含まれない前記ベアラは、前記マスタ基地局によってサービスされ続ける、Ｃ２６に記載の装置。
［Ｃ２９］ゲートウェイノードの再配置が必要とされると決定することは、前記２次基地局の識別情報に基づく、Ｃ２６に記載の装置。
［Ｃ３０］ゲートウェイノードの再配置が必要とされると決定することは、前記２次基地局が前記第１のゲートウェイノードによってサービスされるか否かに基づく、Ｃ２６に記載の装置。